(57)【要約】【技術課題】  ガードレール、ポール等であって、路側構造物に取り付けて用いたときに、自動車のヘッドライトの光を良く反射する反射光量の多い視線誘導標を提供する。【解決手段】  両面テープ４上に反射素子１を１列又は２列以上並べた長尺体から成る視線誘導標において、前記反射素子１の表面２を円弧状に形成すると共に内部の反射孔３…を円弧面に合わせて放射状に形成する。このようにすると入射角度ｒに対して反射光ｒ1の量が増大し、視認性が向上することから、交通安全に寄与できる。【選択図】        図６
2005060969.tif 000002
【特許請求の範囲】
【請求項１】
両面テープ上の一面に反射素子を１列又は２列以上並べた構成の長尺体から成る視線誘導標において、前記反射素子の表面を断面円弧状に形成して成ることを特徴とする視線誘導標。
【請求項２】
請求項１に記載の反射素子の表面は、直線的な多面の連続から成る円弧状を呈していることを特徴とする視線誘導標。
【請求項３】
請求項１に記載の反射素子の表面は、小さな曲面の連続から成る円弧状を呈していることを特徴とする視線誘導標。
【請求項４】
請求項１に記載の反射素子内には、円弧状の表面に向けて放射状に傾斜した反射孔を形成して成ることを特徴とする視線誘導標。
【発明の詳細な説明】
【技術分野】
【０００１】
本発明は、両面テープの一面に反射素子を１列又は２列に並べた長尺体から成り、ガードレールやポール等の路側構造物に取り付ける際には、必要な長さに両面テープを切断して切り離し、剥離紙を剥がして貼り付けると云う利用のされ方をする視線誘導標に関する。
【背景技術】
【０００２】
従来のこの種視線誘導標は、図８及び図９に示すように、平板状の反射素子１００を両面テープ１０２の一面に並べて取り付けた形態から成り、反射素子１００の表面１０１は平面である。
このため、自動車のヘッドライトからの入射光ｒは、図９に示すように、反射素子１００の表面においてｒ1のように反射してしまう。このため、斜め方向からヘッドライトの光が照射した場合には、反射体としての用をなさないと云う問題がある。また、図１０に示すように、ポール１０３に捲きつけて視線誘導標を取り付けた場合、矢印ａ方向から自動車のヘッドライトの光が照射されると、再帰反射光は斜線で示された部分の反射素子１００からだけとなり、十分に注意を喚起する光量とはならない。同様の問題は、ガードレールに取り付けた場合も発生している。
このような問題を解決する手段として、次のような提案がある。
【特許文献１】特開平９-３０２６３１号公報  この特許文献１に掲載の発明は、設置費用が安価でかり、かつ、設置作業がきわめて簡単である視線誘導標の提供を目的として、請求項１に記載の発明においては、裏面が路側構造物の表面に沿うように形成されたカバー部材と、裏面に反射用凹凸形状が形成され、前記カバー部材の前面側に前記反射用凹凸形状が覆われるように取り付けられたプレート状の反射部材と、を備え、前記反射用凹凸形状は前記反射部材の表面に側方から傾斜して入射する入射光が十分な強さを有して再帰反射するように形成されていて、前記カバー部材は、自動車のライト光が前記反射部材の表面に側方から傾斜して入射し、かつ十分な強さを有して再帰反射するように取付手段を用いて前記路側構造物の表面に取り付けられ、そして、この取付手段は前記カバー部材の裏面と前記路側構造物の表面とを接着する接着手段である、ことを特徴とするものである。  更に、請求項２に記載の発明においては、前記カバー部材はプレート状に形成されていることを特徴とするものである。  更に、請求項３に記載の発明においては、前記カバー部材の前面は、前側一側端部から後側一側端部にかけてこのカバー部材の裏面側へ向かって傾斜していて、前記反射部材は前記カバー部材の前面に沿って取り付けられていることを特徴とするものである。  更に、請求項４に記載の発明においては、前記接着手段は、予め一方面が前記カバー部材の裏面に接着された両面接着テープであることを特徴とするものである。
【発明の開示】
【発明が解決しようとする課題】
【０００３】
しかし、上記特許文献１に記載の発明の場合、反射部材はその表面が平面形状となっているため、裏面の凹凸形状に多少の角度をつけたとしても、入射光の大部分は図９で説明したときと同じように、平滑な反射部材の表面で反射していまい、再帰反射光量は少なくなる。特に、図１０に示すように、ポール１０３等のような円形の表面に取り付けた場合の再帰反射光量は極端に減少する。
本発明は、斯る点に鑑みて提案されるものであって、その目的は、再帰反射光量を増大させることにより、運転者に注意を喚起することが可能な視線誘導標を提供することである。
【課題を解決するための手段】
【０００４】
上記目的を達成するため、請求項１に記載の発明においては、視線誘導標において、両面テープの一面に反射素子を１列又は２列以上並べた構成の長尺体から成る視線誘導標において、前記反射素子の表面を断面円弧状に形成して成ることを特徴とするものである。
【０００５】
更に、請求項２に記載の発明においては、請求項１に記載の反射素子の表面は、直線的な多面の連続から成る円弧状を呈していることを特徴とするものである。
【０００６】
更に、請求項３に記載の発明においては、請求項１に記載の反射素子の表面は、小さな曲面の連続から成る円弧状を呈していることを特徴とするものである。
【０００７】
更に、請求項４に記載の発明においては、請求項１に記載の反射素子内には、円弧状の表面に向けて放射状に傾斜した反射孔を形成して成ることを特徴とするものである。
【０００８】
反射素子の表面の形状は、例えば、円弧状の曲面を呈しているため、入射光に対する反射素子の表面の角度は、直角及びこれに近い反射角度領域が拡大し、この分再帰反射光量が増大する。この結果、運転者に対する注意の喚起力は、従来のものに比較して２０〜３０％増大する。
【発明の効果】
【０００９】
本発明は、反射素子の表面を断面円弧状に形成したことにより、再帰反射光量に加えて反応する反射素子の数も増大し、これにより、反射光量が増大し、運転者に大きな注意を喚起することができる。
【発明を実施するための最良の形態】
【００１０】
以下、本発明に係る視線誘導標の形態例を図１〜図７に基づいて、詳細に紹介する。
図１は帯状に形成された視線誘導標全体の正面図、図２は平面図、図３は側面図、図４は斜視図、図５は反射素子の断面図、図６はポールに捲きつけるようにして取り付けられた本発明に係る視線誘導標の説明図、図７は円弧面の実施例の説明図である。
【００１１】
この図１〜図７において、１は表面２が断面円弧状に形成されたかまぼこ型の反射素子であって、この反射素子１の裏面には、円弧面に対して放射状の角度となるように傾斜させた反射孔（反射ピン）３…が形成されていて、円弧状の表面２から入光した光は、この反射孔３…で反射し、再帰反射光となって表面２から出光する。
４は、一面に反射素子１を１列に並べて取り付けた両面テープであって、この両面テープ４の他面には、剥離紙５が貼り合わせてある。
上記実施例の視線誘導標を用いる場合には、図４に示すように、先ず必要な長さに両面テープ４をカットし、その上で剥離紙５を引き剥がし、この両面テープ４の貼着力を用いて図６に示すようにポール１０３に捲きつけるようにして取り付ける。
【００１２】
図５は入射光ｒと再帰反射光ｒ1を示し、入射光ｒが反射素子１に照射したときに、この入射光ｒは、反射素子１の表面２が円弧状に形成されているためと、内部の反射孔３…が放射状の角度を持っているため、再帰反射光ｒ1の角度が入射光ｒと同じ又は近くなり、よって、反射光量が多く、視認性が格段に良くなる。
【００１３】
又、図６の斜線で示すように、入射方向ａに対し、反応する（反射する）反射素子１の数は、図１０に示した平板状の従来例に比較して、端に行くに従って、反射面の面積は減少するが、その数は倍増する。
なお、本実施例において、反射素子１は１列であるが、２列あるいはそれ以上の列構成としても良いことは勿論である。
図７（Ａ）〜（Ｃ）は、反射素子１の表面２に形成された円弧面の変形を示し、（Ａ）は直線的な面の連続から成る多面体、（Ｂ）は曲面から成る多面体、（Ｃ）は両サイド側に多面を形成した例であって、上記した実施例とすべて同一の反射効果がある。
【図面の簡単な説明】
【００１４】
【図１】本発明に係る視線誘導標の正面図。
【図２】本発明に係る視線誘導標の平面図。
【図３】本発明に係る視線誘導標の側面図。
【図４】反射素子の拡大説明図。
【図５】反射素子の断面図。
【図６】本発明に係る視線誘導標をポールに取り付けた状態と再帰反射状態の説明図。
【図７】（Ａ）〜（Ｃ）は反射素子の表面に形成した曲面の変形例の説明図。
【図８】従来の視線誘導標の説明図。
【図９】従来の視線誘導標の反射状態の説明図。
【図１０】従来の視線誘導標をポールに取り付けた状態の説明図。
【符号の説明】
【００１５】
１  反射素子
２  表面
３  反射孔
４  両面接着テープ
５  剥離紙
【図１】
2005060969.tif 000003
【図２】
2005060969.tif 000004
【図３】
2005060969.tif 000005
【図４】
2005060969.tif 000006
【図５】
2005060969.tif 000007
【図６】
2005060969.tif 000008
【図７】
2005060969.tif 000009
【図８】
2005060969.tif 000010
【図９】
2005060969.tif 000011
【図１０】
2005060969.tif 000012